(57)【要約】  ブログサーチエンジンは、サーチクエリを受取ることができる。当該ブログサーチエンジンは、当該サーチクエリに応答して、ブログ文書のグループについての得点を求めることができ、当該得点は、当該サーチクエリに対する当該ブログ文書のグループの関連性と、当該ブログ文書のグループの品質とに基づく。当該ブログサーチエンジンはまた、求められた得点に基づき、当該ブログ文書のグループに関する情報も提供することができる。
2009508267.tif 000002
【特許請求の範囲】
【請求項１】
ブログサーチエンジンによりサーチクエリを受取るステップと、
前記サーチクエリに応答してブログ文書を検索するステップと、
前記サーチクエリに対する前記ブログ文書の関連性に基づき、前記ブログ文書についての第１の得点を求めるステップと、
前記ブログ文書の品質に基づき、前記第１の得点を変更するステップと、
前記変更された第１の得点に基づき、前記ブログ文書に関する情報を提供するステップとを含む、方法。
【請求項２】
前記ブログ文書は、ブログまたはブログ投稿を含む、請求項１に記載の方法。
【請求項３】
複数の標識に基づき、前記ブログ文書の前記品質を求めるステップをさらに含む、請求項１に記載の方法。
【請求項４】
前記複数の標識は、１つ以上の肯定的標識または１つ以上の否定的標識の少なくとも１つを含む、請求項３に記載の方法。
【請求項５】
前記１つ以上の肯定的標識は、前記ブログ文書の人気、他のブログ文書に関連付けられた１つ以上のブログロールにおける前記ブログ文書へのリンクの存在、前記ブログ文書のタグ付け、他の文書における前記ブログ文書への言及、または、前記ブログ文書のページランク（登録商標）の１つ以上を含み、
前記１つ以上の否定的標識は、前記ブログ文書に投稿が追加される頻度、前記ブログ文書の内容、前記ブログ文書内の投稿のサイズ、前記ブログ文書に関連付けられたリンクの分布、前記ブログ文書内の広告の品質、または、前記ブログ文書内の広告の位置の１つ以上を含む、請求項４に記載の方法。
【請求項６】
前記ブログ文書の前記品質を求める前記ステップは、
前記１つ以上の肯定的標識と前記１つ以上の否定的標識とを組合せて前記ブログ文書についての品質得点を求めるステップを含む、請求項４に記載の方法。
【請求項７】
前記第１の得点を変更する前記ステップは、
前記品質得点に基づき、前記第１の得点を上昇または下降させるステップを含む、請求項６に記載の方法。
【請求項８】
前記ブログ文書の前記品質は、前記サーチクエリとは無関係である、請求項１に記載の方法。
【請求項９】
ブログサーチエンジンによりサーチクエリを受取るための手段と、
前記サーチクエリに応答してブログ文書を獲得するための手段と、
前記サーチクエリに対する前記ブログ文書の関連性に基づき、前記ブログ文書についての第１の得点を求めるための手段と、
前記ブログ文書の品質に基づき、前記第１の得点を調節するための手段と、
前記調節された第１の得点に基づき、前記ブログ文書に関連する情報を提供するための手段とを備える、システム。
【請求項１０】
ブログサーチエンジンを備える装置であって、前記ブログサーチエンジンは、
サーチクエリを受取り、
前記サーチクエリに応答して複数のブログ文書を検索し、
前記複数のブログ文書内の各ブログ文書について、前記サーチクエリに対する前記各ブ
ログ文書の関連性に基づき、第１の得点を求め、
前記各ブログ文書の品質に基づき、各ブログ文書の前記第１の得点を変更し、
前記変更された第１の得点に基づき、前記ブログ文書に関する情報を提供する、装置。
【請求項１１】
方法を実行するプロセッサを制御するための命令を含むコンピュータ可読媒体であって、前記方法は、
ブログサーチエンジンによりサーチクエリを受取るステップと、
前記サーチクエリに応答して文書を検索するステップとを含み、前記文書はブログ文書を含み、前記方法はさらに、
前記サーチクエリに対する前記文書の関連性に基づき、前記文書についての得点を求めるステップと、
前記ブログ文書の品質に基づき、前記ブログ文書の前記得点を変更するステップと、
前記求められた得点および前記変更された得点に基づき、前記文書に関する情報を提供するステップとを含む、コンピュータ可読媒体。
【請求項１２】
コンピュータにより実行される方法であって、
ブログ文書を獲得するステップと、
前記ブログ文書の品質の肯定的標識または前記ブログ文書の前記品質の否定的標識の少なくとも１つを識別するステップと、
前記識別された肯定的標識または否定的標識の少なくとも１つに基づき、前記ブログ文書についての品質得点を求めるステップとを含む、コンピュータにより実行される方法。
【請求項１３】
前記ブログ文書は、ブログまたはブログ投稿を含む、請求項１２に記載のコンピュータにより実行される方法。
【請求項１４】
前記肯定的標識は、前記ブログ文書の人気、他のブログ文書に関連付けられた１つ以上のブログロールにおける前記ブログ文書へのリンクの存在、前記ブログ文書のタグ付け、他の文書における前記ブログ文書への言及、または、前記ブログ文書のページランク（登録商標）の１つ以上を含む、請求項１２に記載のコンピュータにより実行される方法。
【請求項１５】
前記否定的標識は、前記ブログ文書に投稿が追加される頻度、前記ブログ文書内の投稿のサイズ、前記ブログ文書に関連付けられたリンクの分布、前記ブログ文書内の広告の品質、または、前記ブログ文書内の広告の位置の１つ以上を含む、請求項１２に記載のコンピュータにより実行される方法。
【請求項１６】
前記否定的標識は、前記ブログ文書の内容と、前記ブログ文書に関連付けられたフィードの内容との不一致の表示を含む、請求項１２に記載のコンピュータにより実行される方法。
【請求項１７】
前記否定的標識は、前記ブログ文書が、高い割合の予め定められた単語または句を含むことの表示を含む、請求項１２に記載のコンピュータにより実行される方法。
【請求項１８】
前記否定的標識は、前記ブログ文書が重複する内容を含むことの表示を含む、請求項１２に記載のコンピュータにより実行される方法。
【請求項１９】
サーチクエリに応答して、前記ブログ文書のランク付けに前記品質得点を用いるステップをさらに含む、請求項１２に記載のコンピュータにより実行される方法。
【請求項２０】
ブログ文書を受取るための論理と、
前記ブログ文書の品質の肯定的標識または前記ブログ文書の前記品質の否定的標識の少
なくとも１つを識別するための論理と、
前記識別された肯定的標識または否定的標識の少なくとも１つに基づき、前記ブログ文書についての品質を求めるための論理とを備える、装置。
【請求項２１】
ブログサーチエンジンにおいてサーチクエリを受取るステップと、
前記サーチクエリに応答して複数のブログ文書についての得点を求めるステップとを含み、前記得点は、前記サーチクエリに対する前記複数のブログ文書の関連性と、前記複数のブログ文書の品質とに基づき、さらに、
前記求められた得点に基づき、前記複数のブログ文書に関する情報を提供するステップを含む、方法。
【請求項２２】
得点を求める前記ステップは、
前記複数のブログ文書についての関連性の得点を求めるステップと、
前記複数のブログ文書の前記品質に基づき、前記関連性の得点を調節するステップとを含む、請求項２１に記載の方法。
【請求項２３】
複数の標識に基づき、前記複数のブログ文書における各ブログ文書の品質を求めるステップをさらに含む、請求項２１に記載の方法。
【請求項２４】
前記複数の標識は、１つ以上の肯定的標識および１つ以上の否定的標識を含む、請求項２３に記載の方法。
【請求項２５】
前記１つ以上の肯定的標識は、前記ブログ文書の人気、他のブログ文書に関連付けられた１つ以上のブログロールにおける前記ブログ文書へのリンクの存在、前記ブログ文書のタグ付け、他の文書における前記ブログ文書への言及、または、前記ブログ文書のページランク（登録商標）の１つ以上を含み、
前記１つ以上の否定的標識は、前記ブログ文書に投稿が追加される頻度、前記ブログ文書の内容、前記ブログ文書内の投稿のサイズ、前記ブログ文書に関連付けられたリンクの分布、前記ブログ文書内の広告の品質、または、前記ブログ文書内の広告の位置の１つ以上を含む、請求項２４に記載の方法。
【請求項２６】
各ブログ文書の前記品質を求める前記ステップは、
前記１つ以上の肯定的標識と前記１つ以上の否定的標識とを組合せて前記各ブログ文書についての品質得点を求めるステップを含む、請求項２４に記載の方法。
【請求項２７】
ブログ文書の品質の肯定的標識または前記ブログ文書の前記品質の否定的標識の少なくとも１つを識別するステップを含み、前記識別された肯定的標識または否定的標識の少なくとも１つは、ブログ文書に固有の標識を含み、さらに、
前記識別された肯定的標識または否定的標識の少なくとも１つに基づき、前記ブログ文書についての品質得点を求めるステップと、
サーチクエリを受取るステップと、
前記サーチクエリに対する前記ブログ文書の関連性に基づき、前記ブログ文書についての得点を求めるステップと、
前記品質得点に基づき、前記ブログ文書の前記得点を調節するステップと、
前記調節された得点に基づき、前記ブログ文書に関連する情報を提供するステップとを含む、方法。
【発明の詳細な説明】
【技術分野】
【０００１】
発明の分野
この発明の原理と整合する実現例は一般に、情報検索に関し、より具体的には、サーチクエリに応答して、ブログ文書のランク付けされた組を提供することに関する。
【背景技術】
【０００２】
発明の背景
ワールドワイドウェブ（World Wide Web）（「ウェブ」）は、大量の情報を含んでいるが、この情報のうちの所望の部分を捜し出すことが難しい場合がある。ウェブ上の情報量と、ウェブのサーチに慣れていない新規のユーザの数とが急速に増えているため、この問題は一層悪化する。
【０００３】
サーチエンジンは、ユーザが興味を抱くウェブページへのハイパーリンクを返そうとする。一般に、サーチエンジンは、ユーザが入力したサーチ語（サーチクエリと称する）に基づいてユーザの興味を判定する。サーチエンジンの目的は、このサーチクエリに基づき、高品質であって関連性を有する結果（ウェブページ等）へのリンクをユーザに提供することである。一般に、サーチエンジンは、予め格納されたウェブページのコーパスに対し、サーチクエリ内の語を突合せることにより、このことを行なう。ユーザのサーチ語を含むウェブページは、サーチ結果として識別され、リンクとしてユーザに返される。
【発明の開示】
【発明が解決しようとする課題】
【０００４】
この数年に、ブログと称される新規の媒体がウェブ上に登場した。ブログ（ウェブログの略）は、投稿（post）と称される新規のジャーナル項目で頻繁に更新されることが一般的な、個人的見解の公表物である。ブログおよびそれらの投稿の内容および品質は、ブログの作者の意図に依存して大きく異なり得る。ブログ作成が普及するにつれ、高品質のブログのサーチ結果を提供する機能が一段と重要になっている。
【課題を解決するための手段】
【０００５】
発明の概要
この発明の原理と整合する一実現例によると、方法は、ブログサーチエンジンにおいてサーチクエリを受取るステップと、サーチクエリに応答してブログ文書を検索するステップと、サーチクエリに対するブログ文書の関連性に基づき、ブログ文書についての第１の得点を求めるステップと、ブログ文書の品質に基づき、第１の得点を変更するステップと、変更された第１の得点に基づき、ブログ文書に関する情報を提供するステップとを含み得る。
【０００６】
この発明の原理と整合する別の実現例において、コンピュータにより実行される方法は、ブログ文書を獲得するステップと、ブログ文書の品質の肯定的標識またはブログ文書の品質の否定的標識の少なくとも１つを識別するステップと、識別された肯定的標識または否定的標識の少なくとも１つに基づき、ブログ文書についての品質得点を求めるステップとを含む。
【０００７】
この発明の原理と整合するさらに別の実現例において、方法は、ブログサーチエンジンにおいてサーチクエリを受取るステップと、サーチクエリに応答してブログ文書のグループについての得点を求めるステップとを含み、当該得点は、サーチクエリに対するブログ文書のグループの関連性と、ブログ文書のグループの品質とに基づき、当該方法はさらに
、求められた得点に基づき、ブログ文書のグループに関する情報を提供するステップを含み得る。
【０００８】
この発明の原理と整合するさらに別の実現例において、方法は、ブログ文書の品質の肯定的標識またはブログ文書の品質の否定的標識の少なくとも１つを識別するステップを含み得、当該識別された肯定的標識または否定的標識の少なくとも１つは、ブログ文書に固有の標識を含み、当該方法はさらに、識別された肯定的標識または否定的標識の少なくとも１つに基づき、ブログ文書についての品質得点を求めるステップと、サーチクエリを受取るステップと、サーチクエリに対するブログ文書の関連性に基づき、ブログ文書についての得点を求めるステップと、品質得点に基づき、ブログ文書の得点を調節するステップと、調節された得点に基づき、ブログ文書に関連する情報を提供するステップとを含み得る。
【０００９】
本明細書に組込まれて本明細書の一部をなす添付の図面は、この発明の実現例を示し、説明と共にこの発明を説明する。
【発明を実施するための最良の形態】
【００１０】
詳細な説明
この発明の原理と整合する実現例についての以下の詳細な説明は、添付の図面を参照する。異なる図面における同じ参照番号は、同じ要素または類似の要素を識別し得る。また、以下の詳細な説明は、この発明を限定しない。
【００１１】
概観
この発明の原理と整合するシステムおよび方法は、サーチクエリに応答して提供されるブログの結果の品質を高める。ブログの結果の品質を高めるために、多数の品質係数を用いて、ブログの結果の得点を（肯定的または否定的に）変更することができる。
【００１２】
図１は、この発明の原理と整合する概念を示す例示的な図である。図１に示すように、サーチクエリに応答してブログ（またはブログ投稿）の得点を求めるために、２つの別個のデータの組、すなわち、サーチクエリ内の語に対する、ブログ（またはブログ投稿）のトピック上の関連性と、ブログ（またはブログ投稿）の品質とが使用される。この品質は、クエリの語とは無関係である。ブログ（またはブログ投稿）の品質は、当該ブログ（またはブログ投稿）の得点に、肯定的または否定的な影響を及ぼし得る。
【００１３】
以下に使用する「ブログ文書」という句は、ブログ、ブログ投稿、またはブログおよびブログ投稿の両方を含むように広く解釈され得る。本明細書に記載する技術がブログおよびブログ投稿に同等に適用可能であることが認識されるであろう。本明細書で使用される語である「文書」は、機械可読および機械格納可能なあらゆる作業生成物を含むように広く解釈され得る。文書は、たとえば、電子メール、ウェブサイト、ファイル、ファイルの組合せ、他のファイルへの埋込まれたリンクを有する１つ以上のファイル、ニュースグループへの書込、ブログ文書、ウェブ広告等を含み得る。インターネット（Internet）という状況において、共通の文書はウェブページである。ウェブページは、テキスト情報を含むことが多く、埋込まれた情報（たとえばメタ情報、画像、ハイパーリンク等）、および／または、埋込まれた命令（たとえばＪａｖａ（登録商標）ｓｃｒｉｐｔ等）を含み得る。本明細書で使用する語である「リンク」は、或る文書から別の文書または同一文書の別の部分へのあらゆる参照／別の文書または同一文書の別の部分から或る文書へのあらゆる参照を含むように広く解釈され得る。
【００１４】
例示的なネットワーク構成
図２は、この発明の原理と整合するシステムおよび方法が実現され得るネットワーク２
００の例示的な図である。ネットワーク２００は、ネットワーク２５０を介して多数のサーバ２２０−２４０に接続された多数のクライアント２１０を含み得る。簡略化のために、２つのクライアント２１０および３つのサーバ２２０−２４０がネットワーク２５０に接続されていることが示される。実際には、より多くの、または、より少ないクライアントおよびサーバが存在してよい。また、場合によっては、クライアントがサーバの機能を果たし、サーバがクライアントの機能を果たすことが考えられる。
【００１５】
クライアント２１０は、クライアントエンティティを含み得る。エンティティは、パーソナルコンピュータ、無線式電話、携帯情報端末（ＰＤＡ）、ラップトップ、もしくは別の種類の計算あるいは通信装置等の装置、これらの装置の１つの上で遂行されるスレッドもしくはプロセス、および／または、これらの装置の１つにより実行可能なオブジェクトとして規定され得る。サーバ２２０−２４０は、この発明の原理と整合する態様で文書の収集、処理、サーチ、および／または、維持を行なうサーバエンティティを含み得る。
【００１６】
この発明の原理と整合する実現例において、サーバ２２０は、クライアント２１０によって使用可能なサーチエンジン２２５を含み得る。一実現例において、サーチエンジン２２５は、ブログ文書のみをサーチするブログサーチエンジンを含み得る。サーバ２２０は、文書のコーパスを巡回し、文書に索引付けし、文書に関連付けられた情報を文書のリポジトリに格納することができる。サーバ２３０および２４０は、サーバ２２０による巡回または解析が行なわれ得る文書を格納または維持することができる。
【００１７】
サーバ２２０−２４０は別のエンティティとして示されているが、１つ以上のサーバ２２０−２４０が、別の１つ以上のサーバ２２０−２４０の１つ以上の機能を果たすことが可能であり得る。たとえば、２つ以上のサーバ２２０−２４０が１つのサーバとして実現されることが可能であり得る。また、サーバ２２０−２４０のうちのわずか１つが２つ以上の別の（可能性として分散された）装置として実現されることも可能であり得る。
【００１８】
ネットワーク２５０は、ローカルエリアネットワーク（ＬＡＮ）、ワイドエリアネットワーク（ＷＡＮ）、公衆交換電話網（Public Switched Telephone Network）（ＰＳＴＮ）等の電話網、イントラネット、インターネット、またはネットワークの組合せを含み得る。クライアント２１０およびサーバ２２０−２４０は、有線、無線、および／または、光学式接続を介してネットワーク２５０に接続し得る。
【００１９】
例示的なクライアント／サーバのアーキテクチャ
図３は、１つ以上のクライアント２１０および／またはサーバ２２０−２４０に対応し得るクライアントまたはサーバエンティティ（以降、「クライエント／サーバエンティティ」と称する）の例示的な図である。クライアント／サーバエンティティは、バス３１０、プロセッサ３２０、メインメモリ３３０、読出専用メモリ（ＲＯＭ）３４０、記憶装置３５０、入力装置３６０、出力装置３７０、および通信インターフェイス３８０を含み得る。バス３１０は、クライアント／サーバエンティティの要素間の通信を可能にする経路を含み得る。
【００２０】
プロセッサ３２０は、プロセッサ、マイクロプロセッサ、または、命令の解釈および実行が可能な処理論理を含み得る。メインメモリ３３０は、ランダムアクセスメモリ（ＲＡＭ）か、または、プロセッサ３２０による実行のための情報および命令を格納し得る別の種類の動的記憶装置を含み得る。ＲＯＭ３４０は、ＲＯＭ装置か、または、プロセッサ３２０による使用のための静的情報および命令を格納し得る別の種類の静的記憶装置を含み得る。記憶装置３５０は、磁気および／または光学記録媒体と、その対応装置とを含み得る。
【００２１】
入力装置３６０は、オペレータによる、クライアント／サーバエンティティへの情報の入力を可能にする機構、たとえば、キーボード、マウス、ペン、音声認識および／またはバイオメトリック機構等を含み得る。出力装置３７０は、ディスプレイ、プリンタ、スピーカ等を含む、オペレータに情報を出力する機構を含み得る。通信インターフェイス３８０は、クライアント／サーバエンティティによる、他の装置および／またはシステムとの通信を可能にする、送受信機様のあらゆる機構を含み得る。たとえば、通信インターフェイス３８０は、ネットワーク２５０等のネットワークを介して別の装置またはシステムと通信するための機構を含み得る。
【００２２】
以下により詳細に説明するように、この発明の原理と整合するクライアント／サーバエンティティは、或る文書の処理に関する動作を実行することができる。クライアント／サーバエンティティは、メモリ３３０等のコンピュータ可読媒体に含まれるソフトウェア命令をプロセッサ３２０が実行することに応答して、これらの動作を実行することができる。コンピュータ可読媒体は、物理的または論理的なメモリ装置および／または搬送波として規定され得る。
【００２３】
ソフトウェア命令は、データ記憶装置３５０等の別のコンピュータ可読媒体から、または、別の装置から、通信インターフェイス３８０を介してメモリ３３０内に読出され得る。メモリ３３０に含まれるソフトウェア命令は、プロセッサ３２０に対し、以下に説明するプロセスを実施させることができる。代替的に、ソフトウェア命令の代わりに、またはソフトウェア命令と組合せて、ハードワイヤード回路素子を用いて、この発明の原理と整合するプロセスを実現することができる。したがって、この発明の原理と整合する実現例は、ハードウェア回路素子およびソフトウェアのいずれの特定の組合せにも限定されない。
【００２４】
例示的なコンピュータ可読媒体
図４は、サーバ２２０によって使用され得る例示的なコンピュータ可読媒体４００の一部の図である。一実現例において、コンピュータ可読媒体４００は、サーバ２２０のメモリ３３０に対応し得る。図４に示すコンピュータ可読媒体４００の一部は、オペレーティングシステム４１０とブログ品質ソフトウェア４２０とを含み得る。
【００２５】
オペレーティングシステム４１０は、Ｗｉｎｄｏｗｓ（登録商標）、Ｕｎｉｘ（登録商標）、またはＬｉｎｕｘ（登録商標）オペレーティングシステム等のオペレーティングシステムソフトウェアを含み得る。ブログ品質ソフトウェア４２０は、ブログ文書に関するデータを受取り、かつ、このデータに基づいて当該ブログ文書についての品質得点を求めるソフトウェアを含み得る。以下にさらに詳細に説明するように、データは、ブログ文書の内容が低品質である可能性を測定する信号を含み得、このことは、候補結果としてのブログ文書の降格または排除を生じる。データはまた、ブログ文書の内容が高品質／人気を有する可能性を測定する信号も含み得、このことは、候補結果としてのブログ文書の昇格を生じる。
【００２６】
図５は、この発明の原理と整合する実現例においてサーバ２２０に関連付けられ得る例示的なデータベース５００である。データベース５００は、サーバ２２０においてローカルに、たとえば、メインメモリ３３０もしくは記憶装置３５０に格納され得、または、サーバ２２０の外部に、たとえば、考え得る遠隔地に格納され得る。例示するように、データベース５００は、以下の例示的なフィールド、すなわち、文書識別（ＩＤ）フィールド５１０と品質得点フィールド５２０とを含み得る。データベース５００が、図５に示すもの以外のフィールドを含み得ることが認識されるであろう。
【００２７】
文書ＩＤフィールド５１０は、ブログ文書を識別する情報を格納することができ、この
ブログ文書は、上記のとおり、ブログまたはブログ投稿であり得る。この情報は、一意の識別子を含み得る。品質得点フィールド５２０は、フィールド５１０で識別された各ブログ文書についての品質得点を格納し得る。データベース５００は、サーバ２２０により受取られたサーチクエリに応答してアクセスされ得る。サーバ２２０は、フィールド５２０からの品質得点に基づき、サーチ結果の組から、ブログ文書（すなわちブログおよび／または投稿）の昇格、降格、または排除すら行なうことができる。
【００２８】
ブログ文書についての品質得点の決定
図６は、この発明の原理と整合する実現例において、ブログ文書についての品質得点を求めるための例示的なプロセスのフローチャートである。処理は、得点化されるべきブログ文書についての情報を獲得すること（活動６１０）により開始し得る。情報は、ブログ自体、投稿、ブログからのメタデータ、および／または、ブログ文書に関連付けられた１つ以上のフィード（feed）を含み得る。
【００２９】
ブログ文書の品質についての肯定的標識が識別され得る（活動６２０）。このような標識は、ブログ文書の人気、ブログ文書の暗示された人気、ブログロールにおけるブログ文書の存在、高品質のブログロールにおけるブログ文書の存在、ブログ文書のタグ付け、他のソースによるブログ文書への言及、および、ブログ文書のページランク（登録商標）を含み得る。他の標識が使用されても良いことが認識されるであろう。
【００３０】
ブログ文書の人気は、そのブログ文書の品質の肯定的表示であり得る。多数のニュースアグリゲータサイト（一般には「ニュースリーダ」または「フィードリーダ」と称する）が存在し、ここでは、個人がブログ文書に（そのフィードを介して）申込みを行ない得る。このようなアグリゲータは、所定のブログ文書に申込みを行なった個人の数を記述する情報を格納する。極めて多くの数の申込契約を有するブログ文書は、そのブログ文書についてのより高い品質を暗示する。また、申込契約は、申込みを行なった一意のユーザを検証するか、または、申込者の一意のインターネットプロトコル（Internet Protocol）（ＩＰ）アドレスをフィルタ処理することにより、「申込契約スパム」（スパム発信者が、自身のブログ文書を「より人気のある」ものにしようと自身のブログ文書に申込みを行なう）に備えて検証され得る。
【００３１】
ブログ文書に対し、暗示された人気が識別され得る。この暗示された人気は、たとえば、サーチ結果のクリックストリームを調査することにより識別され得る。たとえば、或るブログ文書が、結果の組の中に出現したときに他のブログ文書よりも多くクリックされた場合、このことは、当該ブログ文書に人気があることの表示となり得、すなわち、ブログ文書の品質の肯定的標識となり得る。
【００３２】
ブログロール内のブログ文書の存在は、当該ブログ文書の品質の肯定的表示となり得る。ブログ文書がしばしば、最新のエントリ（すなわち投稿）だけでなく、「ブログロール」も含むことが認識されるであろう。これらのブログロールは、作者／ブロガーが興味を抱く外部サイト（通常他のブログ）へのリンクが高密度に集まったものである。ブログ文書へのブログロールのリンクは、そのブログ文書の人気の表示であり、したがって、ブログ文書への集約されたブログロールのリンクの数を数えて使用し、当該ブログ文書に対する人気の大きさを推論することができる。
【００３３】
高品質のブログロールにおけるブログ文書の存在は、そのブログ文書の品質の肯定的表示となり得る。高品質のブログロールは、周知のブロガーまたは信頼できるブロガーにリンクするブログロールである。したがって、当該ブログ文書にもリンクする高品質のブログロールは、当該ブログ文書の品質の肯定的標識である。
【００３４】
同様に、周知のブロガーまたは信頼できるブロガーのブログロール内にブログ文書が存在することもまた、当該ブログ文書の品質の肯定的表示となり得る。この状況において、周知のブロガーまたは信頼できるブロガーは、スパム発信を行なうブロガーにリンクしないものと仮定される。
【００３５】
ブログ文書のタグ付けは、当該ブログ文書の品質の肯定的表示となり得る。いくつかの既存のサイトは、ユーザがブログ文書に「タグ」を付けること（すなわち、「類別すること」）を許可する。このような特化された類別は、個人が当該ブログ文書の内容を評価し、１つ以上のカテゴリがその内容を適切に記載していると判断したことの標識であり、したがって、当該ブログ文書の品質の肯定的標識である。
【００３６】
他のソースによるブログ文書への言及は、当該ブログ文書の品質の肯定的表示となり得る。たとえば、電子メールまたはチャットの翻音の内容は、ブログ文書のＵＲＬを含み得る。当該ブログ文書への言及を含む電子メールまたはチャット議論は、当該ブログ文書の品質の肯定的標識である。
【００３７】
ブログ文書のページランク（登録商標）は、当該ブログ文書の品質の肯定的標識となり得る。高いページランク（登録商標）（正規のウェブページに関して通常計算される信号）は、高品質の標識であり、したがって、ブログ文書の品質の肯定的表示としてブログ文書に適用され得る。実現例によっては、ブログ文書（たとえば投稿）がページランク（登録商標）に関連付けられ得ない場合がある（たとえば、その投稿が新規であるとき）。このような情況において、新規の投稿は、この新規の投稿に対する独自のページランク（登録商標）が決定される時まで、関連付けられているブログのページランク（登録商標）を継承することができる。この継承されたページランク（登録商標）は、新規の投稿の品質の肯定的表示として働き得る。
【００３８】
ブログ文書の品質についての否定的標識が識別され得る（活動６３０）。このような標識は、ブログ文書に対する新規の投稿の頻度、ブログ文書内の投稿の内容、ブログ文書内の投稿のサイズ、ブログ文書のリンクの分布、および、ブログ文書内の広告の存在を含み得る。他の標識を使用してもよいことが認識されるであろう。
【００３９】
ブログ文書に新規の投稿が追加される頻度は、そのブログ文書の品質の否定的表示となり得る。フィードは一般に、ブログ文書からの最新の投稿のみを含む。スパム発信者はしばしば、新規の投稿を猛烈に生成する（すなわち、多くの新規の投稿が短時間に出現する）か、または、予測可能な間隔（１０分ごとに１つの投稿、もしくは、３時間ごとの３２分において１つの投稿）で新規の投稿を生成する。これらの挙動はいずれも、悪意に相関し、考え得るスパム発信者を識別するために使用され得る。したがって、ブログ文書に新規の投稿が追加される頻度が予測可能なパターンに一致すると、これは、当該ブログ文書の品質の否定的表示となり得る。
【００４０】
ブログ文書内の投稿の内容は、そのブログ文書の品質の否定的表示となり得る。フィードは一般に、所定のブログ文書からのいくつかの投稿の内容の一部またはすべてを含む。ブログ文書自体もまた、投稿の内容を含む。スパム発信者は、サーチ結果におけるランクを上げるために、内容の或るバージョンをフィード内に挿入することが考えられ、その一方で、それらのブログ文書には異なるバージョンを挿入する（たとえば、関係のない広告へのリンク）。したがって、このような（フィードとブログ文書との）不一致は、当該ブログ文書の品質の否定的表示となり得る。
【００４１】
また場合によっては、特定の内容がブログ文書内の多数の投稿において複製され得、同一の内容を含む多数のフィードが生じる場合がある。このような複製は、そのフィードが
低品質／スパムであることを示し、したがって、当該ブログ文書の品質の否定的表示となり得る。
【００４２】
ブログ文書の投稿において使用される単語／句もまた、そのブログ文書の品質の否定的表示となり得る。たとえば、評価者がスパムとみなすブログ文書およびフィードの集合から、スパムにおいて頻繁に出現する単語および句（バイグラム、トリグラム等）のリストを抽出することができる。ブログ文書が、このリストから高い割合の単語または句を含む場合、これは、当該ブログ文書の品質の否定的表示となり得る。
【００４３】
ブログ文書内の投稿のサイズは、当該ブログ文書の品質の否定的表示となり得る。多くの自動化された投稿生成器は、同一の長さまたは極めてよく似た長さの多数の投稿を作成する。その結果、投稿のサイズの分布を、スパム度数（spamminess）についての信頼できる測度として使用することができる。ブログ文書が同一の長さまたは極めてよく似た長さの多数の投稿を含む場合、これは、当該ブログ文書の品質の否定的表示となり得る。
【００４４】
ブログ文書のリンクの分布は、ブログ文書の品質の否定的表示となり得る。上で開示したように、投稿によっては、特定のブログ文書のページランク（登録商標）を上げるために作成されるものもある。場合によっては、投稿またはブログ文書からのすべてのリンクのうちの高い割合のリンクが、すべて、１つのウェブページまたは１つの外部サイトのいずれかを指すことがある。いずれかの１つの外部サイトへの多数のリンクがしきい値を超えた場合、これは、そのブログ文書の品質の否定的表示となり得る。
【００４５】
ブログ文書内の広告の存在は、当該ブログ文書の品質の否定的表示となり得る。ブログ文書が多数の広告を含む場合、これは、当該ブログ文書の品質の否定的表示となり得る。
【００４６】
さらに、ブログ文書は一般に、３種類の内容、すなわち、最新の投稿の内容、ブログロール、および、ブログメタデータ（たとえば、作者プロファイル情報および／または当該ブログ文書もしくはその作者に関する他の情報）を含む。広告が存在する場合、その広告は一般に、ブログメタデータのセクション内またはブログロール付近に出現する。ブログ文書の最新の投稿部分に広告が存在することは、当該ブログ文書の品質の否定的表示となり得る。
【００４７】
ブログ文書についての品質得点が、これらの標識に基づいて求められ得る（活動６４０）。たとえば、一実現例において、ブログ文書についての品質得点は、異なる標識に重みを割当て、それらの重みを組合せて品質得点を獲得することにより、求められ得る。標識は、あらゆる態様で組合せられ得、および／または、重み付けされ得る。たとえば、この発明の原理と整合する一実現例において、各標識には、正の値または負の値が与えられ得る。これらの値を共に加算して、そのブログ文書についての品質得点を求めることができる。代替的に、各標識値は、対応する係数（または重み）で乗算され得、結果的に得られた値を合計して、当該ブログ文書についての品質得点を求めることができる。品質得点を求めるための他の技術を代替的に使用することができる。
【００４８】
ブログ文書についての品質得点が一旦求められると、この品質得点は、当該ブログ文書に関連付けられ得る。たとえば、品質得点は、データベース５００等のデータベースにおいて、得点が求められたブログ文書を識別する情報に関連付けられ得る。この態様で、データベース５００には、ブログ文書についての品質得点が読込まれ得る。品質得点は、定期的に更新され得る。
【００４９】
サーチ結果の提示
図７は、サーチ結果を提示するための例示的なプロセスのフローチャートである。一実
現例において、図７の処理は、サーバ２２０内の１つ以上のソフトウェアおよび／またはハードウェア構成要素により実施され得る。別の実現例において、この処理は、別の装置内か、または、サーバ２２０とは別の装置のグループ内もしくはサーバ２２０を含む装置のグループ内の１つ以上のソフトウェアおよび／またはハードウェア構成要素により実施され得る。
【００５０】
処理は、サーチクエリが受取られること（活動７１０）により開始し得る。たとえば、ユーザは、サーチエンジンに関連付けられたサーチボックス内にサーチクエリを提供する（たとえば、サーチエンジンインターフェイス内またはアドオンツールバーのサーチボックス内にサーチ語を入力する）ことができる。ウェブブラウザ（またはアドオンツールバー）は、サーバ２２０に関連付けられたサーチエンジン２２５等のサーチエンジンに対し、サーチクエリを送ることができる。
【００５１】
１組の文書についての関連性の得点が、サーチクエリに基づき求められ得る（活動７２０）。たとえば、サーバ２２０は、文書についての情報検索（ＩＲ）得点を求めることができる。文書についてのＩＲ得点は、文書の内容に対するサーチクエリのサーチ語の突合せに基づいて求められ得る。文書についてのＩＲ得点を求めるために使用され得る多数の公知の技術が存在する。たとえば、ＩＲ得点は、文書内におけるサーチ語の出現の数に基づいて求められ得る。代替的に、または加えて、ＩＲ得点は、サーチ語が文書内で出現する場所（たとえばタイトル、内容等）、または、サーチ語の特性（たとえばフォント、サイズ、色等）に基づき求められ得る。代替的に、または加えて、サーチ語は、多数のサーチ語が存在する場合、別のサーチ語とは異なる態様で重み付けされ得る。代替的に、または加えて、多数のサーチ語が存在する場合のサーチ語の近似性は、ＩＲ得点に影響を及ぼし得る。文書についてのＩＲ得点を求めるためのさらに別の技術が、当業者には公知である。
【００５２】
文書についての総合得点が、文書の品質に基づいて求められ得る（活動７３０）。たとえば、各文書についてのＩＲ得点を、その文書の品質得点と組合せて、総合得点を求めることができる。得点を組合せることにより、文書についてのＩＲ得点が、品質得点に基づいて調節され得、それにより、得点を上昇もしくは下降させ、または、場合によっては得点がそのまま維持されて、総合得点が得られる。代替的に、文書は、ＩＲ得点を生成することなく、品質得点にのみ基づいて得点化され得る。いずれの場合も、総合得点は、品質得点を用いることにより、文書に対して求められ得る。
【００５３】
文書のランク付けされた組が、文書についての総合得点に基づき、ユーザに提供され得る（活動７４０）。このようにして、文書の品質を用いて、ユーザに提供されるサーチ結果を改良することができる。
【００５４】
例
以下の例は、上記の処理を示す。ユーザがファンタジーフットボール（fantasy football）に関するブログに興味を抱いているものと仮定されたい。ユーザは、サーチエンジン２２５等のサーチエンジンに対し、サーチクエリ「ファンタジーフットボール」を提出し得る。それに応答して、サーチエンジン２２５が、（たとえばＩＲ技術を用いて）そのサーチクエリに対する関連性に基づき、ブログ文書のグループを検索するものと仮定されたい。
【００５５】
図８は、サーチクエリに応答して受取られたブログ文書の例示的な組の図である。示すように、サーチエンジン２２５は、以下の関連性（またはＩＲ）の得点を有する５個のブログ文書（ブログ文書１−５）を検索した。すなわち、ブログ文書１は、１．０のＩＲ得点を有し、ブログ文書２は、０．９のＩＲ得点を有し、ブログ文書３は、０．８のＩＲ得
点を有し、ブログ文書４は、０．７のＩＲ得点を有し、ブログ文書５は、０．６のＩＲ得点を有する。例示の目的のため、これらの５個のブログ文書が以下の品質得点を有するものと仮定されたい。すなわち、ブログ文書１は、０．４の正の品質得点を有し、ブログ文書２は、−０．４の負の品質得点を有し、ブログ文書３は、０．８の正の品質得点を有し、ブログ文書４は、０．３の正の品質得点を有し、ブログ文書５は、０．３の正の品質得点を有する。
【００５６】
サーチエンジン２２５は、品質得点に関連性の得点を加算することにより、ブログ文書についての総合得点を求めることができる。この場合、ブログ文書１は、１．４の総合得点を有し、ブログ文書２は、０．５の総合得点を有し、ブログ文書３は、１．６の総合得点を有し、ブログ文書４は、１．０の総合得点を有し、ブログ文書５は、０．９の総合得点を有する。したがって、サーチエンジン２２５は、以下の順序で、すなわち、ブログ文書３、ブログ文書１、ブログ文書４、ブログ文書５、およびブログ文書２の順序で、ユーザにブログ文書１−５を提供することができる。
【００５７】
図８の例から明らかなように、ブログ文書の品質は、それらの文書のランクを上昇または下降させ得る。このようにして、より高品質の結果がユーザに提供される。
【００５８】
結論
この発明の原理と整合する実現例は、ブログの品質を考慮することにより、ブログのサーチを改良する。
【００５９】
この発明の例示的な実施例の上記の記載は、例示および説明を提供したが、網羅的であることを意図しておらず、または、この発明を開示された形態そのものに限定することを意図しない。上記の教示に照らして変更および変形が可能であり、または、この発明の実施から、変更および変形を行なうことができる。
【００６０】
たとえば、図６および図７に関して一連の活動を記載してきたが、これらの活動の順序は、この発明の原理と整合する他の実現例において変更されてよい。さらに、従属性を有さない活動を並行して実施することができる。
【００６１】
上記の記載はユーザについて言及している。「ユーザ」は、クライアント２１０（図２）等のクライアントか、または、クライアントのオペレータを指すことを意図する。
【００６２】
上記のとおり、この発明の局面が、図面に例示された実現例においてソフトウェア、ファームウェア、およびハードウェアの多くの異なる形態で実現され得ることが当業者には明らかである。この発明の原理と整合する局面を実現するために使用される実際のソフトウェアコードまたは専用の制御ハードウェアは、この発明を限定しない。したがって、当該局面の動作および挙動を、特定のソフトウェアコードに言及せずに説明してきた。当業者が、本明細書の記載に基づき、ソフトウェアおよび制御ハードウェアを設計してこれらの局面を実現し得ることが理解される。
【００６３】
本願で使用される要素、活動、または命令はいずれも、明記されない限り、この発明にとって重要であるか、または必須であるものと解釈されるべきではない。また、本明細書で使用する冠詞の「ａ」は、１つ以上の項目を含むことを意図する。１つの項目のみを意図する場合、「１つの」という用語または類似の言語を使用する。さらに、「に基づき」という句は、明記されない限り、「に少なくとも部分的に基づき」を意味することを意図する。
【図面の簡単な説明】
【００６４】
【図１】この発明の原理と整合する概念を示す例示的な図である。
【図２】この発明の原理と整合するシステムおよび方法が実現され得るネットワークの例示的な図である。
【図３】この発明の原理と整合する実現例におけるクライアントまたはサーバエンティティの例示的な図である。
【図４】図２のサーバにより使用され得る例示的なコンピュータ可読媒体の一部の図である。
【図５】この発明の原理と整合する実現例において図２のサーバと関連付けられ得る例示的なデータベースである。
【図６】この発明の原理と整合する実現例においてブログ文書についての品質得点を求めるための例示的なプロセスのフローチャートである。
【図７】この発明の原理と整合する実現例においてサーチ結果を提示するための例示的なプロセスのフローチャートである。
【図８】この発明の原理と整合する実現例において検索され得る文書の例示的な組の図である。
【図１】
2009508267.tif 000003
【図２】
2009508267.tif 000004
【図３】
2009508267.tif 000005
【図４】
2009508267.tif 000006
【図５】
2009508267.tif 000007
【図６】
2009508267.tif 000008
【図７】
2009508267.tif 000009
【図８】
2009508267.tif 000010
【手続補正書】
【提出日】平成20年4月23日(2008.4.23)
【手続補正１】
【補正対象書類名】特許請求の範囲
【補正対象項目名】全文
【補正方法】変更
【補正の内容】
【特許請求の範囲】
【請求項１】
ブログサーチエンジンによりサーチクエリを受取るステップと、
前記サーチクエリに応答してブログ文書を検索するステップと、
前記サーチクエリに対する前記ブログ文書の関連性に基づき、前記ブログ文書についての第１の得点を求めるステップと、
前記ブログ文書の品質に基づき、前記第１の得点を変更するステップと、
前記変更された第１の得点に基づき、前記ブログ文書に関する情報を提供するステップとを含む、方法。
【請求項２】
前記ブログ文書は、ブログまたはブログ投稿を含む、請求項１に記載の方法。
【請求項３】
複数の標識に基づき、前記ブログ文書の前記品質を求めるステップをさらに含む、請求項１に記載の方法。
【請求項４】
前記複数の標識は、１つ以上の肯定的標識または１つ以上の否定的標識の少なくとも１つを含む、請求項３に記載の方法。
【請求項５】
前記１つ以上の肯定的標識は、前記ブログ文書の人気、他のブログ文書に関連付けられた１つ以上のブログロールにおける前記ブログ文書へのリンクの存在、前記ブログ文書のタグ付け、他の文書における前記ブログ文書への言及、または、前記ブログ文書のページランク（登録商標）の１つ以上を含み、
前記１つ以上の否定的標識は、前記ブログ文書に投稿が追加される頻度、前記ブログ文書の内容、前記ブログ文書内の投稿のサイズ、前記ブログ文書に関連付けられたリンクの分布、前記ブログ文書内の広告の品質、または、前記ブログ文書内の広告の位置の１つ以上を含む、請求項４に記載の方法。
【請求項６】
前記ブログ文書の前記品質を求める前記ステップは、
前記１つ以上の肯定的標識と前記１つ以上の否定的標識とを組合せて前記ブログ文書についての品質得点を求めるステップを含む、請求項４に記載の方法。
【請求項７】
前記第１の得点を変更する前記ステップは、
前記品質得点に基づき、前記第１の得点を上昇または下降させるステップを含む、請求項６に記載の方法。
【請求項８】
前記ブログ文書の前記品質は、前記サーチクエリとは無関係である、請求項１に記載の方法。
【請求項９】
ブログサーチエンジンによりサーチクエリを受取るための手段と、
前記サーチクエリに応答してブログ文書を獲得するための手段と、
前記サーチクエリに対する前記ブログ文書の関連性に基づき、前記ブログ文書についての第１の得点を求めるための手段と、
前記ブログ文書の品質に基づき、前記第１の得点を調節するための手段と、
前記調節された第１の得点に基づき、前記ブログ文書に関連する情報を提供するための手段とを備える、システム。
【請求項１０】
ブログサーチエンジンを備える装置であって、前記ブログサーチエンジンは、
サーチクエリを受取り、
前記サーチクエリに応答して複数のブログ文書を検索し、
前記複数のブログ文書内の各ブログ文書について、前記サーチクエリに対する前記各ブログ文書の関連性に基づき、第１の得点を求め、
前記各ブログ文書の品質に基づき、各ブログ文書の前記第１の得点を変更し、
前記変更された第１の得点に基づき、前記ブログ文書に関する情報を提供する、装置。
【請求項１１】
方法を実行するプロセッサを制御するための命令を含むコンピュータ可読媒体であって、前記方法は、
ブログサーチエンジンによりサーチクエリを受取るステップと、
前記サーチクエリに応答して文書を検索するステップとを含み、前記文書はブログ文書を含み、前記方法はさらに、
前記サーチクエリに対する前記文書の関連性に基づき、前記文書についての得点を求めるステップと、
前記ブログ文書の品質に基づき、前記ブログ文書の前記得点を変更するステップと、
前記求められた得点および前記変更された得点に基づき、前記文書に関する情報を提供するステップとを含む、コンピュータ可読媒体。
【請求項１２】
コンピュータにより実行される方法であって、
ブログ文書を獲得するステップと、
前記ブログ文書の品質の肯定的標識または前記ブログ文書の前記品質の否定的標識の少なくとも１つを識別するステップと、
前記識別された肯定的標識または否定的標識の少なくとも１つに基づき、前記ブログ文書についての品質得点を求めるステップと、
前記ブログ文書についての前記求められた品質得点を用いて、前記ブログ文書のランクを変更するステップとを含み、前記ブログ文書の前記ランクは、サーチクエリに対する前記ブログ文書の関連性に基づいて求められる、コンピュータにより実行される方法。
【請求項１３】
前記ブログ文書は、ブログまたはブログ投稿を含む、請求項１２に記載のコンピュータにより実行される方法。
【請求項１４】
前記肯定的標識は、前記ブログ文書の人気、他のブログ文書に関連付けられた１つ以上のブログロールにおける前記ブログ文書へのリンクの存在、前記ブログ文書のタグ付け、
他の文書における前記ブログ文書への言及、または、前記ブログ文書のページランク（登録商標）の１つ以上を含む、請求項１２に記載のコンピュータにより実行される方法。
【請求項１５】
前記否定的標識は、前記ブログ文書に投稿が追加される頻度、前記ブログ文書内の投稿のサイズ、前記ブログ文書に関連付けられたリンクの分布、前記ブログ文書内の広告の品質、または、前記ブログ文書内の広告の位置の１つ以上を含む、請求項１２に記載のコンピュータにより実行される方法。
【請求項１６】
前記否定的標識は、前記ブログ文書の内容と、前記ブログ文書に関連付けられたフィードの内容との不一致の表示を含む、請求項１２に記載のコンピュータにより実行される方法。
【請求項１７】
前記否定的標識は、前記ブログ文書が、高い割合の予め定められた単語または句を含むことの表示を含む、請求項１２に記載のコンピュータにより実行される方法。
【請求項１８】
前記否定的標識は、前記ブログ文書が重複する内容を含むことの表示を含む、請求項１２に記載のコンピュータにより実行される方法。
【請求項１９】
ブログ文書を受取るための論理と、
前記ブログ文書の品質の肯定的標識または前記ブログ文書の前記品質の否定的標識の少なくとも１つを識別するための論理と、
前記識別された肯定的標識または否定的標識の少なくとも１つに基づき、前記ブログ文書についての品質を求めるための論理と、
前記ブログ文書についての求められた品質得点を用いて、前記ブログ文書のランクを変更するための論理とを備え、前記ブログ文書の前記ランクは、サーチクエリに対する前記ブログ文書の関連性に基づいて求められる、装置。
【請求項２０】
ブログサーチエンジンにおいてサーチクエリを受取るステップと、
前記サーチクエリに応答して複数のブログ文書についての得点を求めるステップとを含み、前記得点は、前記サーチクエリに対する前記複数のブログ文書の関連性と、前記複数のブログ文書の品質とに基づき、前記求めるステップは、
前記複数のブログ文書についての関連性の得点を求めるステップと、
前記複数のブログ文書の前記品質に基づいて、前記関連性の得点を調節するステップとを含み、さらに、
前記求められた得点に基づき、前記複数のブログ文書に関する情報を提供するステップを含む、方法。
【請求項２１】
複数の標識に基づき、前記複数のブログ文書における各ブログ文書の品質を求めるステップをさらに含む、請求項２０に記載の方法。
【請求項２２】
前記複数の標識は、１つ以上の肯定的標識および１つ以上の否定的標識を含む、請求項２１に記載の方法。
【請求項２３】
前記１つ以上の肯定的標識は、前記ブログ文書の人気、他のブログ文書に関連付けられた１つ以上のブログロールにおける前記ブログ文書へのリンクの存在、前記ブログ文書のタグ付け、他の文書における前記ブログ文書への言及、または、前記ブログ文書のページランク（登録商標）の１つ以上を含み、
前記１つ以上の否定的標識は、前記ブログ文書に投稿が追加される頻度、前記ブログ文書の内容、前記ブログ文書内の投稿のサイズ、前記ブログ文書に関連付けられたリンクの分布、前記ブログ文書内の広告の品質、または、前記ブログ文書内の広告の位置の１つ以
上を含む、請求項２２に記載の方法。
【請求項２４】
各ブログ文書の前記品質を求める前記ステップは、
前記１つ以上の肯定的標識と前記１つ以上の否定的標識とを組合せて前記各ブログ文書についての品質得点を求めるステップを含む、請求項２２に記載の方法。
【請求項２５】
ブログ文書の品質の肯定的標識または前記ブログ文書の前記品質の否定的標識の少なくとも１つを識別するステップを含み、前記識別された肯定的標識または否定的標識の少なくとも１つは、ブログ文書に固有の標識を含み、さらに、
前記識別された肯定的標識または否定的標識の少なくとも１つに基づき、前記ブログ文書についての品質得点を求めるステップと、
サーチクエリを受取るステップと、
前記サーチクエリに対する前記ブログ文書の関連性に基づき、前記ブログ文書についての得点を求めるステップと、
前記品質得点に基づき、前記ブログ文書の前記得点を調節するステップと、
前記調節された得点に基づき、前記ブログ文書に関連する情報を提供するステップとを含む、方法。
【国際調査報告】
2009508267.tif 000011
2009508267.tif 000012